(57)【特許請求の範囲】
【請求項１】
係合凹部と第１レールとを有するケースと、前記係合凹部に係合するツメと前記第１レールに嵌合する第２レールとを有し前記ケースにスライド固定するカバーとからなるバッテリーケースにおいて、
前記第２レールに所定の間隔で複数の切り欠きを設けて凹部と凸部とを形成したカバーと、
前記第１レールに前記第２レールの凸部が上部から嵌入できる切り欠きを所定の間隔で複数設けて前記カバーと同様に凹部と凸部とを形成したケースとを備え、
前記第２レールの各凸部が前記第１レールの対応する各凹部に上部から挿入し所定の方向に前記カバーをスライドすることで、前記第１レールと前記第２レールとが嵌合されて前記係合凹部と前記ツメとが係合してロックするとともに、
前記第１レールに更に傾斜のあるガイドを設け、このガイドにより取り付け時に前記カバーが案内され、取り外し時に前記ツメが前記ケースのバッテリーと当接する前に前記カバーが前記ケースから外れることを特徴とするバッテリーケース。
【請求項２】
請求項１に記載のバッテリーケースにおいて、
前記ガイドは、前記第１レールの所定の凸部から第１レール内に傾斜して仕切るテーパ部であることを特徴とするバッテリーケース。
【請求項３】
請求項１に記載のバッテリーケースにおいて、
前記係合凹部と前記ツメとが係合し、ロックされたとき、前記第１レールに設けられた凸部と、前記第２レールに設けられた凸部とがそれぞれ係合されることを特徴とするバッテリーケース。
【発明の詳細な説明】
【０００１】
【発明の属する技術分野】
本発明はバッテリーケースに係り、より詳細には電池カバーをケースに取り付けるスライドレールを備えたバッテリーケースに関する。
【０００２】
【従来の技術】
従来のバッテリーケースの構造として、携帯用電子機器（例えば、携帯電話機）の機器本体にバッテリーの収納部を一体に形成し、この収納部にスライドレールを設けてカバーを嵌合するバッテリーケースがある。このようなバッテリーケースとしては、例えば特願平９−７６５１７号公報などに開示されている。このバッテリーケースの構造は、特に携帯電話機に適用した場合、携帯に好適な小型化された本体と、バッテリーが容易に外れないカバーの嵌合強度とが必要とされる。
【０００３】
図４は、このような携帯電話機に適用した従来のバッテリーケースを示す斜視図である。また、図５は、図４に示したバッテリーケースのＹ−Ｙ部の断面図である。図４に示すように、携帯電話機に適用した従来のバッテリーケースは、合成樹脂からなるケース４０とカバー５０とにより構成されており、このケース４０にはバッテリー６０が収納される。ここで、ケース４０は、両側面に形成されたレール４６と、先端側に形成された係合凹部４１と、後端側の外周側面の２ヶ所に形成された凹部４４とを有している。また、カバー５０の内側には、対向する両側面に突出するように形成されたレール５２と、先端５７の中央付近に突出するように形成されたツメ５１と、先端５７と対向する内側の後端に２ヶ所に形成された突起５４とを有している。
【０００４】
このような従来のバッテリーケースのケース４０とカバー５０との嵌合動作は次の通りである。図４に示すように、ケース４０にカバー５０を取り付ける場合、まず、ケース４０にバッテリー６０を収納する。バッテリー６０が収納されると、カバー５０のレール５２をケース４０のレール４６に嵌合し、カバー５０をＣ方向にスライドさせる。この際、図５に示すように、Ｃ方向のスライドにより、カバー５０のツメ５１がバッテリー６０と当たることを防止するためにカバー５０に高さＥの空間を設けてある。これによりカバー５０のツメ５１がバッテリー６０と当接することなくスライドし、カバー５０の突起５４が対応するケース４０の凹部４４に差し込まれ、また、カバー５０のツメ５１が対応するケース４０の係合凹部４１に係合ロックする。このように、ケース４０とカバー５０で形成される内部空間にはバッテリーが収納される。
【０００５】
次にケース４０からカバー５０を取り外す際には、カバー５０の先端５７近傍の上部を下側方向に少し押しながらカバー５０をＣ方向と反対のＤ方向に引っ張ることにより、カバー５０のツメ５１が係合凹部４１から外れ、引き続きレール４６とレール５２との嵌合をスライドさせて解除することにより、カバー５０をケース４０から外すことができる。このように、従来のバッテリーケースは、カバー５０をレール４６に嵌合させスライドすることにより容易にバッテリーを収納していた。
【０００６】
【発明が解決しようとする課題】
しかしながら、ケースにカバーを嵌合するためのレールのストロークが長いため、レールをスライドする間にカバーから突出したツメ５１が収納したバッテリーと接触しないように、カバーにツメの高さ（図５に示す高さＥ）分の空間が必要であった。従って、バッテリーを収納する空間が有効に利用されず、カバーが厚くなるとともに本体全体が大型化してしまう不具合があった。
【０００７】
また、ケースとカバーとを嵌合するためのレールのストロークが長いため、バッテリーの着脱の操作性が悪かった。さらに、レールをスライドさせ外す際に、バッテリーがケース内で動いてしまい浮いていると、ツメとバッテリーとが接触してケースのスライド時にツメを破壊してしまうという不具合があった。
【０００８】
一方、このような欠点を解決するため、ストロークを短くし、カバーとケースとが嵌合するレールを短くすると、嵌合強度が弱くなるという不具合があった。
【０００９】
本発明はこのような従来の問題点を解決して、嵌合されたカバーを短いスライドストロークで容易に取り外すことができ薄型のカバーで強い嵌合強度を有するバッテリーケースを提供することを目的とする。
【００１０】
【課題を解決するための手段】
本発明は上述の課題を解決するために、係合凹部と第１レールとを有するケースと、係合凹部に係合するツメと第１レールに嵌合する第２レールとを有したケースにスライド固定するカバーとからなるバッテリーケースであって、第２レールに所定の間隔で複数の切り欠きを設けて凹部と凸部とを形成したカバーと、第１レールに第２レールの凸部が上部から嵌入できる切り欠きを所定の間隔で複数設けてカバーと同様に凹部と凸部とを形成したケースとを備え、第２レールの各凸部が第１レールの対応する各凹部に上部から挿入し所定の方向にカバーをスライドすることで第１レールと第２レールとが嵌合されて係合凹部とツメとが係合してロックするとともに、第１レールに更に傾斜のあるガイドを設けてこのガイドにより取り付け時にカバーが案内されて取り外し時にツメがケースのバッテリーと当接する前にカバーがケースから外れるように設ける。
【００１１】
ここで、ガイドは、第１レールの所定の凸部から第１レール内に傾斜して仕切るテーパ部であり、このバッテリーケースを携帯電話機のバッテリー部に適用する。また、係合凹部と前記ツメとが係合してロックされたとき、第１レールに設けられた凸部と、第２レールに設けられた凸部とがそれぞれ係合されることが好ましい。
【００１２】
【発明の実施の形態】
次に、添付図面を参照して本発明によるバッテリーケースの実施の形態を詳細に説明する。図１は、携帯電話機に適用した本発明によるバッテリーケースの実施の形態を示す斜視図である。図１に示すように、携帯電話機に適用した本発明によるバッテリーケースの実施の形態は、合成樹脂により形成されたケース１０と、このケース１０と嵌合するカバー２０とからなり、ケース１０にはバッテリー３０が収納されている。
【００１３】
バッテリー３０は、ケース１０の先端部１７から凹形状に形成された収納部１８に収納される。ここで凹形状の収納部１８は、バッテリー３０を収納する周囲に所定の厚みを有する枠１９が形成されている。この枠１９の両側面には、内側方向にコ字形状の切り欠いたレール１６が平行して対称に設けられている。このようにレール１６は、収納部１８の両側面に沿うように延長されている。
【００１４】
またレール１６には、スライド方向と直交する上部方向に所定の間隔で複数切り欠いたケース凹部１２ａ、１２ｂ、１２ｃと、突出するケース凸部１３ａ、１３ｂ、１３ｃ、１３ｄとが交互に配列している。このケース凸部１３ａ、１３ｂ、１３ｃ、１３ｄおよびケース凹部１２ａ、１２ｂ、１２ｃとは、レール１６と同様に先端部１７と直交する枠１９の両側面に沿って平行して対称に設けてあり、任意の数だけ設けることができ、数を多くすれば、カバー２０をケース１０に嵌合後、強度を向上することができる。ケース凸部１３ｃには、ケース凹部１２ａ側のレール１６内を傾斜して仕切るガイド１５が形成されている。このガイド１５もレール１６と同様に先端部１７と直交する枠１９の両側面に対称に設けてある。また、先端部１７には、略中央の面に切り欠いた開口部を有する係合凹部１１が形成されている。さらに、先端部１７と対向するケース１０後端の枠１９には、側面の左右両側に対称に設けた開口する凹部１４が２ヶ所設けてある。
【００１５】
カバー２０は、凹形状に形成され、外周２９が突出するように設けてあり、この外周２９は先端２７で切り欠いたように設けてある。先端２７と直交して両側に対向する外周２９には、内側の中心方向に向かい突出するカバー凸部２３ａ、２３ｂ、２３ｃ、２３ｄと、このカバー凸部２３の間に切り欠くように設けたカバー凹部２２ａ、２２ｂ、２２ｃ、２２ｄとが複数配列されている。このように、カバー凸部、カバー凹部は任意の数だけ設けることができ、数を多くすれば、カバー２０をケース１０に嵌合後、強度を向上することができる。また、カバー２０内側の両側面には、対称にカバー凸部２３とカバー凹部２２とを交互に複数配列する。またカバー２０の先端２７の中央近傍には、ケース１０の係合凹部１１と係合されるツメ２１が突出形成されている。さらに、先端２７と対向する後端の外周２９には、先端２７の方向に向かい突出する突起２４が左右両側に対称に設けてある。このように、カバー２０の先端２７がケース１０の先端部１７に当接することにより、カバー２０のツメ２１と、ケース１０の係合凹部１１が係合するとともに、カバー２０の突起２４がケース１０の凹部１４に差し込まれる。
【００１６】
このような本発明によるバッテリーケースの実施の形態において、ケース１０とカバー２０とが嵌合する動作は次のようである。ケース１０にカバー２０を取り付ける場合は、まず、ケース１０の収納部１８にバッテリー３０を収納し、このバッテリー３０を覆うように、カバー２０のカバー凸部２３およびカバー凹部２２をケース１０のレール１６に嵌合する。この際、カバー２０のカバー凸部２３ｂを、ケース１０のケース凹部１２ｂに合わせて嵌入する。これにより、カバー凸部２３ｂは、ケース凹部１２ｂから延長されたガイド１５に案内されて適切な位置に嵌入される。このように、カバー凸部２３ｂがケース凹部１２ｂに嵌入されると、カバー凸部２３ａはケース凹部１２ａに嵌入し、カバー凸部２３ｃはケース凹部１２ｃに嵌入する。従って、カバー２０のカバー凸部２３がケース１０のケース凹部１２に各々対応して嵌合する。
【００１７】
図２は、カバー凸部２３とケース凹部１２により、カバー２０をケース１０に取り付ける状態を示した側断面図である。図２に示すように、カバー２０のカバー凸部２３をケース１０のケース凹部１２に合わせて嵌合すると、ケース１０のケース凹部１２ａ、１２ｂ、１２ｃに、カバー２０のカバー凸部２３ａ、２３ｂ、２３ｃが嵌入する。さらに、カバー凸部２３がレール１６方向に嵌入すると、カバー凸部２３ａ、２３ｂ、２３ｃ、２３ｄがレール１６と当接し嵌合する。この際、カバー２０内側の両側面に設けたカバー凸部２３ｂは、ケース１０の両側面に設けたガイド１５に当接され、このガイド１５の斜面に沿ってカバー凸部２３をレール１６に嵌合させる。
【００１８】
カバー凸部２３をレール１６に嵌合すると、カバー２０をＡ方向にスライドすることによって、カバー２０の先端２７とケース１０の先端部１７とが当接する。この際、カバー２０の突起２４が対応するケース１０の凹部１４に差し込まれると同時に、カバー２０のツメ２１が対応するケース１０の係合凹部１１に係合されてロックされる。このように、カバー２０をケース１０に嵌合し、Ａ方向にスライドさせることで、ケース１０に形成された収納部１８の内部空間にバッテリーが収納された状態でカバー２０をケース１０に取り付けることができる。
【００１９】
次に、図１のＸ−Ｘ断面を示す図３を用いてケース１０からカバー２０を取り外す動作を詳細に説明する。図３に示すように、ケース１０からカバー２０を取り外す際には、カバー２０表面の先端２７近傍を下側方向に少し押しながらカバー２０をＢ方向に引っ張ると、カバー２０のツメ２１が係合凹部１１から外れる。さらに、カバー２０をＢ方向にスライドさせると、図２に示したように、カバー２０のカバー凸部２３ｂがケース１０のガイド１５と当接する。引き続きカバー２０をＢ方向にスライドさせることにより、ガイド１５の斜面に沿ってカバー凸部２３がケース凹部１２ｂの方向に上昇する。この上昇により、カバー２０のカバー凸部２３がレール１６との嵌合を解除するとともに、カバー２０をケース１０から外すことができる。
【００２０】
このように、カバー２０を後方向（Ｂ方向）にスライドさせると、カバー凸部２３ｂがガイド１５に当接してカバー２０が上昇し、レール１６でのスライドストロークが図２に示す最小ストロークＳで嵌合を解除して、カバー２０をケース１０から取り外すことができる。この最小ストロークＳによる嵌合の解除は、図３に示すように、ツメ２１がバッテリー３０と当接する前に、カバー２０をケース１０から外すことができる。従って、図３に示す高さＨのバッテリー３０とツメ２１とが当接することを防止している。
【００２１】
以上、本発明によってなされたバッテリーケースの実施の形態を詳細に説明したが、本発明は前述の実施の形態に限定されるものではなく、その要旨を逸脱しない範囲で変更可能である。すなわち、本実施の形態では本発明を携帯電話機に適用したが、本発明は特に携帯電話機に限定されるものではなく、携帯端末などに適用してもよい。また、本実施の形態において、合成樹脂により形成されたケース１０を例に説明したが、合成樹脂に限定されるものではなく、例えば、ステンレスなどの材質により形成して本体強度を強化してもよい。
【００２２】
【発明の効果】
このように本発明のバッテリーケースによれば、カバーに設けたカバーを係合するツメがカバー装着時にバッテリーに当たることが無いので、従来のようなバッテリーとカバー間に形成される余分な空間が不要となり、カバーの形状を薄く形成できるとともに、本体全体を小型化することができる。
【００２３】
また、ガイドを設けたことにより最小ストロークでカバーとケースとの着脱を安全にかつ確実にできるので、例えば、カバーを取り外す際にツメがバッテリーに当たってツメが破壊されることが無い。
【００２４】
さらに、複数のカバー凸部とケース凸部１３とがそれぞれ係合するので、最小ストロークで着脱ができるとともに十分な強度が得られる。
【図面の簡単な説明】
【図１】携帯電話機に適用した本発明によるバッテリーケースの実施の形態を示す斜視図。
【図２】図１に示したカバーをケースに取り付ける状態を示した側面図。
【図３】図１に示したバッテリーケースのＸ−Ｘ断面を示す断面図。
【図４】携帯電話機に適用した従来のバッテリーケースを示す斜視図。
【図５】図４に示したバッテリーケースのＹ−Ｙ部の断面図。
【符号の説明】
１０  ケース
１１  係合凹部
１２  ケース凹部
１３  ケース凸部
１４  凹部
１５  ガイド
１６  レール
１７  先端部
１８  収納部
１９  枠
２０  カバー
２１  ツメ
２２  カバー凹部
２３  カバー凸部
２４  突起
２７  先端
２９  外周
３０  バッテリー
【図１】
0003552495.tif 000002
【図２】
0003552495.tif 000003
【図３】
0003552495.tif 000004
【図４】
0003552495.tif 000005
【図５】
0003552495.tif 000006